(57)【要約】【課題】  印刷要求元の端末からネットワーク上に接続された複数のプリンタから印字出力を行わせるプリンタを簡単に選択することができるイメージデータ印刷システムを提供すること。【解決手段】  本発明のイメージデータ印刷システム１は、印刷指示受付装置２、複数の共有フォルダを有するイメージデータ蓄積装置３、印刷制御装置４、及びプリンタ５を備えるものであって、印刷指示受付装置２は、共有フォルダ７へのアクセス情報を登録する手段と、アクセス情報が登録された複数の共有フォルダ７から任意の共有フォルダの選択を受付ける手段と、印刷すべきデータを選択された共有フォルダ７へ当該アクセス情報に従って転送する手段と、を備え、印刷制御装置４は、共有フォルダ７に書き込まれたデータを印刷用データに変換して当該共有フォルダ７に対応付けられたプリンタ５へ転送する手段を備えるものである。【選択図】  図１
2007011570.tif 000002
【特許請求の範囲】
【請求項１】
印刷指示を受付ける印刷指示受付装置と、複数の共有フォルダを有するイメージデータ蓄積装置と、印刷処理を制御する印刷制御装置と、前記複数の共有フォルダにそれぞれ対応する複数のプリンタと、を備えるイメージデータ印刷システムであって、前記印刷指示受付装置は、前記共有フォルダへアクセスするために必要なアクセス情報を登録する手段と、前記アクセス情報が登録された複数の共有フォルダから任意の共有フォルダの選択を受付ける手段と、印刷すべきデータを選択された共有フォルダへ当該アクセス情報に従って転送する手段と、を備え、前記印刷制御装置は、前記共有フォルダに書き込まれたデータを印刷用データに変換して当該共有フォルダに対応付けられたプリンタへ転送する手段を備えることを特徴とするイメージデータ印刷システム。
【請求項２】
印刷指示を受付ける印刷指示受付装置と、複数の共有フォルダを有し、印刷処理を制御する印刷制御装置と、前記複数の共有フォルダにそれぞれ対応する複数のプリンタと、を備えるイメージデータ印刷システムであって、前記印刷指示受付装置は、前記共有フォルダへアクセスするために必要なアクセス情報を登録する手段と、前記アクセス情報が登録された複数の共有フォルダから任意の共有フォルダの選択を受付ける手段と、印刷すべきデータを選択された共有フォルダへ当該アクセス情報に従って転送する手段と、を備え、前記印刷制御装置は、前記共有フォルダに書き込まれたデータを印刷用データに変換して当該共有フォルダに対応付けられたプリンタへ転送する手段を備えることを特徴とするイメージデータ印刷システム。
【請求項３】
ネットワーク上の共有フォルダへアクセスするために必要なアクセス情報を登録する手段と、アクセス情報が登録された複数の共有フォルダから任意の共有フォルダの選択を受付ける手段と、印刷すべきデータを選択された共有フォルダへ当該アクセス情報に従って転送する手段と、を備えることを特徴とする印刷指示受付装置。
【発明の詳細な説明】
【技術分野】
【０００１】
本発明は、印刷すべきイメージデータをＬＡＮ（Local Area Network）等のネットワークを通じてプリンタへ出力するイメージデータ印刷システム及び該システムを構成する印刷指示受付装置に関する。
【背景技術】
【０００２】
ネットワークにＰＣ（パーソナルコンピュータ）、スキャナ、プリンタ等を接続し、複数のＰＣ、スキャナ等でプリンタを共用することが一般的に行われている。ネットワークに複数のプリンタが接続されている場合には、印刷要求元のＰＣ等においてプリンタドライバを選択して実行することにより、希望するプリンタへ出力することができる。近年、カラープリンタ、高画質プリンタ、高速プリンタなど様々な種類のプリンタが販売されており、これらをネットワークに接続して、ユーザの使用目的に応じたプリンタを選択してプリントさせることも可能である。
【０００３】
従来より、ネットワークにプリンタサーバを接続し、プリンタサーバ内の共有フォルダにデータを格納すると、そのプリンタサーバが格納されたデータを自動的にプリンタに出力する印刷システムが提案されている（例えば、特許文献１参照。）。この印刷システムは、各印刷要求元のＰＣでの印刷設定の必要性を無くし、共有フォルダに印刷すべきデータを格納するだけで印刷処理を行わせることができるという利点がある。
【特許文献１】特開平１１−２４９８４０号公報
【発明の開示】
【発明が解決しようとする課題】
【０００４】
しかしながら、上記従来の印刷システムでは、ネットワーク上に接続された複数のプリンタから任意のプリンタを選択する場合に煩雑な操作が必要であった。すなわち、ネットワーク上に接続された複数のプリンタから印刷要求元が希望するプリンタを選択するためには、一々プリンタサーバに設定されているプリンタドライバの選択を変更しなければならず、印刷要求元の端末装置においてプリンタを選択することができなかった。
【０００５】
本発明は、かかる問題に鑑みてなされたものであり、ネットワーク上の共有フォルダに印刷すべきイメージデータが格納された場合に、当該イメージデータに対して印刷処理を行うイメージデータ印刷システムにおいて、印刷要求元の端末からネットワーク上に接続された複数のプリンタから印字出力を行わせるプリンタを簡単に選択することができるイメージデータ印刷システムを提供することを目的とする。
【課題を解決するための手段】
【０００６】
請求項１記載のイメージデータ印刷システムは、印刷指示を受付ける印刷指示受付装置と、複数の共有フォルダを有するイメージデータ蓄積装置と、印刷処理を制御する印刷制御装置と、前記複数の共有フォルダにそれぞれ対応する複数のプリンタと、を備えるイメージデータ印刷システムであって、前記印刷指示受付装置は、前記共有フォルダへアクセスするために必要なアクセス情報を登録する手段と、前記アクセス情報が登録された複数の共有フォルダから任意の共有フォルダの選択を受付ける手段と、印刷すべきデータを選択された共有フォルダへ当該アクセス情報に従って転送する手段と、を備え、前記印刷制御装置は、前記共有フォルダに書き込まれたデータを印刷用データに変換して当該共有フォルダに対応付けられたプリンタへ転送する手段を備えることを特徴としている。
【０００７】
請求項２記載のイメージデータ印刷システムは、印刷指示を受付ける印刷指示受付装置と、複数の共有フォルダを有し、印刷処理を制御する印刷制御装置と、前記複数の共有フォルダにそれぞれ対応する複数のプリンタと、を備えるイメージデータ印刷システムであって、前記印刷指示受付装置は、前記共有フォルダへアクセスするために必要なアクセス情報を登録する手段と、前記アクセス情報が登録された複数の共有フォルダから任意の共有フォルダの選択を受付ける手段と、印刷すべきデータを選択された共有フォルダへ当該アクセス情報に従って転送する手段と、を備え、前記印刷制御装置は、前記共有フォルダに書き込まれたデータを印刷用データに変換して当該共有フォルダに対応付けられたプリンタへ転送する手段を備えることを特徴としている。
【０００８】
請求項３記載の印刷指示受付装置は、ネットワーク上の共有フォルダへアクセスするために必要なアクセス情報を登録する手段と、アクセス情報が登録された複数の共有フォルダから任意の共有フォルダの選択を受付ける手段と、印刷すべきデータを選択された共有フォルダへ当該アクセス情報に従って転送する手段と、を備えることを特徴としている。
【発明の効果】
【０００９】
本発明によれば、印刷指示受付装置において選択した共有フォルダに対応するプリンタにデータが転送される。これにより、ユーザは、従来のイメージデータ印刷システムのように、設定されているプリンタドライバの選択を一々変更することなく、印刷指示受付装置において共有フォルダを選択することにより、複数のプリンタから印字出力を行わせるプリンタを簡単に選択することができる。
【発明を実施するための最良の形態】
【００１０】
以下、本発明の第１の実施の形態に係るイメージデータ印刷システムについて説明する。図１に示すように、イメージデータ印刷システム１は、ユーザから印刷指示を受付ける印刷指示受付装置２、印刷すべきデータが書き込まれる共有フォルダを有するイメージデータ蓄積装置３、印刷処理を制御する印刷制御装置４、プリンタ５ａ（５）乃至５ｃ（５）等で構成される。これらの装置２乃至５は、ＬＡＮ等のネットワーク６に接続されている。本実施の形態においては、イメージデータ印刷システム１をビル内で使用する場合を例に挙げ、印刷指示受付装置２、イメージデータ蓄積装置３、印刷制御装置４をビルの３階に、プリンタ５ａ及びプリンタ５ｂをビルの４階に、プリンタ５ｃをビルの５階に設置した場合について説明する。
【００１１】
印刷指示受付装置２は、ユーザから原稿等の印刷指示を受付けてイメージデータをイメージデータ蓄積装置３の共有フォルダへ転送する。印刷指示は、印刷処理の開始指示、出力先とすべきプリンタ５の指示などである。印刷指示受付装置２とイメージデータ蓄積装置３は、ファイル共有プロトコルとして例えばＳＭＢ（Server Message Block)を実装している。これにより、印刷指示受付装置２は印刷すべきデータをイメージデータ蓄積装置３の共有フォルダに書き込む手段を備える。本実施の形態においては、印刷指示受付装置２として、カラーイメージデータを読取り可能なスキャナ（不図示）を備え、ファクシミリサーバ機能、ウェブサーバ機能等を実装する複合機を挙げて説明する。
【００１２】
イメージデータ蓄積３は、例えば、パーソナルコンピュータ等にＯＳ（Operating Systems）、前記ファイル共有プロトコル等が組み込まれており、予め組み込まれた各種制御プログラムのＣＰＵ（Central Processing Unit）による実行により図１に示す機能構成を備える。すなわち、イメージデータ蓄積装置３は、３つの共有フォルダ７ａ（７）乃至７ｃ（７）を備えている。
【００１３】
印刷制御装置４は、例えば、パーソナルコンピュータ等にＯＳ、ブラウザ、前記ファイル共有プロトコル、複数のプリンタドライバ等が組み込まれている。具体的に説明すると、図１に示すように、印刷制御装置４は、予め組み込まれた各種制御プログラムのＣＰＵによる実行により図示する機能構成を備える。すなわち、印刷制御装置４は、フォルダ書込検出手段８、３つのプリンタドライバ手段９ａ（９）乃至９ｃ（９）を備えている。
【００１４】
フォルダ書込検出手段８は、共有フォルダ７を常に監視し、共有フォルダ７へのデータの書き込みを検出する。そして、何れかの共有フォルダ７にデータが書き込まれると、当該共有フォルダ７に対応付けられたプリンタドライバ手段９に書き込まれたデータを受け渡す。ここでは、フォルダ書込検出手段８は、共有フォルダ７ａに書き込まれたデータをプリンタドライバ手段９ａに、共有フォルダ７ｂに書き込まれたデータをプリンタドライバ手段９ｂに、共有フォルダ７ｃに書き込まれたデータをプリンタドライバ手段９ｃに受け渡すようになっている。プリンタドライバ手段９は、フォルダ書込検出手段８から共有フォルダ７に書き込まれたデータを受け取って印刷用データ（以下、「プリントデータ」という。）に変換する。そして、変換したプリントデータを対応するプリンタ５へ転送する。具体的には、プリンタドライバ手段９ａはプリンタ５ａに、プリンタドライバ手段９ｂはプリンタ５ｂに、プリンタドライバ手段９ｃはプリンタ５ｃに、それぞれプリントデータを転送する。したがって、共有フォルダ７ａはプリンタ５ａに、共有フォルダ７ｂはプリンタ５ｂに、共有フォルダ７ｃはプリンタ５ｃにそれぞれ対応付けられている。
【００１５】
プリンタ５は、印刷制御装置４から転送されてきたプリントデータを印字出力するものである。具体的には、プリンタ５ａ及びプリンタ５ｃは、カラー及びモノクロ双方のイメージをプリント可能なカラープリンタであり、プリンタ５ｂは、モノクロイメージをプリントするモノクロプリンタである。
【００１６】
次に、印刷指示受付装置２がデータを書き込む共有フォルダ７を印刷指示受付装置２に登録する際の手順を説明する。この共有フォルダ７の登録は、印刷制御装置４から行われるようになっている。印刷制御装置４において、ユーザが所定操作を行うと、図２に示すフォルダ一覧画面１０のＵＲＬ（Uniform Resource Locators）を指定したリクエストが印刷制御装置４から印刷指示受付装置２に送信され、印刷指示受付装置２は、フォルダ一覧画面１０のウェブページを印刷制御装置４に返信する。
【００１７】
印刷制御装置４は、印刷指示受付装置２からフォルダ一覧画面１０のウェブページを受信すると、それをディスプレイ（不図示）にブラウザにより表示する。図２に示すフォルダ一覧画面１０においては、印刷指示受付装置２がイメージデータを書き込む共有フォルダ７が登録されていないことを示す「未登録」が表示されている。図示するように、「未登録」の表示にカーソルがあわされた状態で、登録／変更ボタン１１がマウス（不図示）等でユーザにより操作されると、図３に示すフォルダ設定画面１２が表示される。すなわち、登録／変更ボタン１１が操作されることにより、印刷指示受付装置２から印刷制御装置４にフォルダ設定画面１２のウェブページが返信され、印刷制御装置４は、フォルダ設定画面１２をブラウザによりディスプレイに表示する。前記共有フォルダ７の登録は、このフォルダ設定画面１２を通じて行われる。
【００１８】
フォルダ設定画面１２は、図３に示すように、印刷指示受付装置２にイメージデータを書き込ませるイメージデータ蓄積装置３の共有フォルダ７のパスを入力するためのパス入力ボックス１３、該パス入力ボックス１３にパスを入力した共有フォルダ７に対応するプリンタ５を選択するためのプルダウンメニュー１４、該プルダウンメニュー１４より選択したプリンタ５の名称を入力するための名称入力ボックス１５、印刷指示受付装置２が共有フォルダ７にアクセスする際に印刷制御装置４に提示されるアカウント及びパスワードをそれぞれ入力するためのアカウント入力ボックス１６、パスワード入力ボックス１７等を具備する。ユーザは、共有フォルダ７のパスをパス入力ボックス１３に入力し、印刷指示受付装置２にイメージデータを書き込ませる共有フォルダ７を指定することができるが、参照ボタン１８をマウス等で操作することにより表示されるフォルダ参照画面１９を通じて、共有フォルダ７を指定することもできる。フォルダ参照画面１９には、イメージデータ蓄積装置３内のフォルダが表示される。ユーザが任意の共有フォルダ７を選択し、ＯＫボタン２０を操作すると、フォルダ設定画面１２のパス入力ボックス１３に、選択した共有フォルダ７のパスが入力されるようになっている。
【００１９】
フォルダ設定画面１２において入力ないし選択された情報は、ユーザによりＯＫボタン２１がマウス等で操作されると、印刷指示受付装置２に送信される。印刷指示受付装置２は、印刷制御装置４から送信された情報を受信すると、これらの情報を登録する。すなわち、イメージデータを書き込む共有フォルダ７のパス名、アカンウント、パスワード等を共有フォルダ７にアクセスするために必要なアクセス情報として登録し、このアクセス情報と対応付けてプリンタ５の名称を登録する。
【００２０】
イメージデータを書き込む共有フォルダ７が印刷指示受付装置２に登録されると、図４に示すように、印刷指示受付装置２に登録されている共有フォルダ７に対応するプリンタ５の名称がフォルダ一覧画面１０に表示される。ここでは、共有フォルダ７ａに対応するプリンタ５ａの名称として「４Ｆカラープリンタ」、共有フォルダ７ｂに対応するプリンタ５ｂの名称として「４Ｆモノクロプリンタ」、共有フォルダ７ｃに対応するプリンタ５ｃの名称として「５Ｆカラープリンタ」が登録されている。なお、例えば、「４Ｆカラープリンタ」の表示にカーソルがあわされた状態で、登録／変更ボタン１１が操作されると、印刷指示受付装置２に登録されている「４Ｆカラープリンタ」に対応する共有フォルダ７ａへのアクセス情報等が入力されたフォルダ設定画面１２が表示されるようになっており、フォルダ設定画面１２に入力されている情報を変更することにより、印刷指示受付装置２に登録されているアクセス情報等を変更することができる。
【００２１】
また、フォルダ一覧画面１０は、図２及び図４に示すように、フォルダタブ２２、一般設定タブ２３、ネットワーク設定タブ２４を備えており、図２及び図４においては、フォルダタブ２２が選択され、フォルダ一覧画面１０が表示されている。フォルダ一覧画面１０において、一般設定タブ２３がマウス等で選択されると、図５に示す一般設定画面２５が表示され、ネットワーク設定タブ２４がマウス等で選択されると、図６に示すネットワーク設定画面２６が表示されるようになっている。図５に示す一般設定画面２５においては、印刷制御装置４のＯＳ起動時に印刷エージェント、すなわち、フォルダ書込検出手段８を起動するか否か、共有フォルダ７に書き込まれたデータをプリンタ５での印刷後、削除するか否か等を設定することができる。また、図６に示すネットワーク設定画面２６においては、印刷制御装置４のＩＰアドレス、ＨＴＴＰ（Hypertext Transfer Protocol）のポート番号等を設定することができる。
【００２２】
次に、印刷指示受付装置２において、印刷指示を行う際の手順を説明する。図７は、印刷指示受付装置２が備えるタッチパネル式の液晶表示装置（ＬＣＤ：Liquid Crystal Display）２７周辺を示した図である。図示するように、印刷指示受付装置２は、印刷指示受付装置２に原稿等のコピーを指示するためのコピーボタン２８、原稿等の読取りを指示するためのスキャナボタン２９、原稿等のファクシミリ送信を指示するためのファクシミリボタン３０、コピーの開始やファクシミリ送信等の開始を指示するためのスタートボタン３１等を具備する。
【００２３】
ユーザがスキャナボタン２９を操作すると、図７（ａ）に示すように、液晶表示装置２７に、スキャナで読取った原稿等のイメージデータを印刷指示受付装置２が備えるハードディスク（不図示）に保存することを選択するためのスキャンｔｏＨＤボタン３２、イメージデータをネットワーク６に接続されたＰＣ（不図示）へ転送することを選択するためのスキャンｔｏＰＣボタン３３、イメージデータをプリンタ５で印刷することを選択するためのスキャンｔｏプリンタボタン３４等が表示される。ユーザがスキャンｔｏプリンタボタン３４を操作すると、図７（ｂ）に示すように、液晶表示装置２７に、印刷指示受付装置２に登録されているプリンタ５ａ乃至５ｃの名称がそれぞれ記載されたプリンタボタン３５ａ（３５）乃至３５ｃ（３５）が表示される。印刷指示受付装置２は、ユーザによっていずれかのプリンタボタン３５が選択されると、プリンタボタン３５が示すプリンタ５に対応する共有フォルダ７の選択を受付ける。例えば、プリンタボタン３５ａが操作された場合は、プリンタ５ａに対応する共有フォルダ７ａの選択を受付ける。本実施の形態においては、ユーザは、上記のように、共有フォルダ７に対応付けられたプリンタ５を選択することにより、複数の共有フォルダ７ａ乃至７ｃから任意の共有フォルダ７を選択する。
【００２４】
上記のように、イメージデータを出力すべき共有フォルダ７の選択を受付けた場合に印刷指示受付装置２において実行される処理動作を図８に示すフローチャートに基づいて説明する。印刷指示受付装置２は、共有フォルダ７の選択を受付けたか否かを繰り返し判断する（Ｓ１）。共有フォルダ７の選択を受付けたと判断した場合（Ｓ１：ＹＥＳ）、スタートボタン３１がユーザにより操作されること等による印刷処理の開始指示があったか否かを繰り返し判断する（Ｓ２）。印刷処理の開始指示があったと判断した場合（Ｓ２：ＹＥＳ）、スキャナにより原稿等のイメージデータを読取る（Ｓ３）。そして、読取ったイメージデータをＳ１において選択された共有フォルダ７へアクセス情報に従って転送する（Ｓ４）。例えば、Ｓ１において、共有フォルダ７ａが選択された場合、登録されている共有フォルダ７ａのパス等のアクセス情報に従って、共有フォルダ７ａにイメージデータを転送する。なお、印刷指示受付装置２のスキャナで読取ったイメージデータは、ＪＰＥＧ（Joint Photographic Experts Group）形式、ＰＤＦ（Portable Document Format）形式、ＴＩＦＦ（Tagged Image File Format）形式等のイメージデータに変換され、イメージデータ蓄積装置３に転送される。
【００２５】
次に、イメージデータ蓄積装置３の共有フォルダ７にイメージデータが書き込まれた場合に印刷制御装置４において行われる処理動作を図９に示すフローチャートに基づいて説明する。印刷制御装置４は、共有フォルダ７にイメージデータが書き込まれたか否かを繰り返し判断する（Ｓ１１）。具体的には、印刷制御装置４は、フォルダ書込検出手段８が共有フォルダ７へのイメージデータの書き込みを検出したか否かを判断する。共有フォルダ７にイメージデータが書き込まれたと判断した場合（Ｓ１１：ＹＥＳ）、共有フォルダ７に書き込まれたイメージデータをプリントデータに変換する（Ｓ１２）。例えば、共有フォルダ７ａにイメージデータが書き込まれた場合、フォルダ書込検出手段８により、共有フォルダ７ａに対応するプリンタドライバ手段９ａにイメージデータを受け渡し、プリンタドライバ手段９ａにより、イメージデータをプリントデータに変換する。次に、プリントデータをプリンタ５へ転送する（Ｓ１３）。例えば、プリンタドライバ手段９ａにより、プリンタ５ａにプリントデータを転送する。プリンタ５は、転送されてきたプリントデータを印字出力する。
【００２６】
次に、本発明の第２の実施の形態に係るイメージデータ印刷システムについて説明する。図１０は、第２の実施の形態に係るイメージデータ印刷システム３６の構成例を示したブロック図である。第１の実施の形態に係るイメージデータ印刷システム１は、イメージデータ蓄積装置３が共有フォルダ７を備える構成となっていたが、イメージデータ印刷システム３６は、印刷制御装置３７が共有フォルダ７を備えており、この点がイメージデータ印刷システム１と主に相違する。以下、第１の実施の形態に係るイメージデータ印刷システム１と共通する部分については同一符号を付してその説明を省略し、主に相違点を説明する。
【００２７】
イメージデータ印刷システム３６は、図１０に示すように、印刷指示受付装置２、共有フォルダ７を有し、印刷処理を制御する印刷制御装置３７、プリンタ５ａ（５）乃至５ｃ（５）等で構成されており、これらの装置２、５、３７は、ネットワーク６に接続されている。
【００２８】
印刷制御装置３７は、例えば、パーソナルコンピュータ等にＯＳ、ブラウザ、前記ファイル共有プロトコル、複数のプリンタドライバ等が組み込まれている。具体的に説明すると、図１０に示すように、印刷制御装置３７は、予め組み込まれた各種制御プログラムのＣＰＵによる実行により図示する機能構成を備える。すなわち、印刷制御装置３７は、３つの共有フォルダ７ａ（７）乃至７ｃ（７）、フォルダ書込検出手段８、３つのプリンタドライバ手段９ａ（９）乃至９ｃ（９）を備えている。
【００２９】
イメージデータ印刷システム１と同様、イメージデータ印刷システム３６においても、印刷指示受付装置２は、ユーザにより選択された共有フォルダ７へ登録されているアクセス情報に従ってイメージデータを転送し、印刷制御装置３７は、共有フォルダ７に書き込まれたイメージデータをプリントデータに変換し、プリンタ５へ転送する。そして、プリンタ５は、転送されてきたプリントデータを印字出力する。
【００３０】
以上説明したように、イメージデータ印刷システム１、３６は、印刷指示受付装置２において選択された共有フォルダ７に対応するプリンタ５にプリントデータを転送する。これにより、ユーザは、従来のイメージデータ印刷システムのように、設定されているプリンタドライバの選択を一々変更することなく、印刷指示受付装置２において共有フォルダ７を選択することにより、複数のプリンタ５ａ乃至５ｃから印字出力を行わせるプリンタ５を簡単に選択することができる。例えば、印刷指示受付装置２のスキャナに原稿のカラーイメージデータを読取らせた場合は、プリンタ５ａに印字出力を行わせ、印刷指示受付装置２のスキャナで原稿のモノクロイメージデータを読取らせた場合は、プリンタ５ｂに印字出力を行わせること等を簡単に選択することができる。
【００３１】
また、本実施の形態においては、ビル内にイメージデータ印刷システム１、３６を設置した場合について説明した。例えば、従来においては、ユーザがビルの３階にいるとき、ユーザが所有する原稿の複写物がビルの５階で必要な場合、３階にあるコピー機等で原稿をコピーして得た複写物を５階に持ち運んだり、ユーザが５階まで原稿を持ち運び、５階にあるコピー機等で原稿をコピーする必要があったが、本実施の形態のようにイメージデータ印刷システム１、３６をビルに設置すれば、３階にある印刷指示受付装置２から５階にあるプリンタ５ｃに原稿の複写物を印字出力させることができる。
【産業上の利用可能性】
【００３２】
本発明は、例えば、印刷すべきイメージデータをネットワークを通じてプリンタへ出力するイメージデータ印刷システム及び該システムを構成する印刷指示受付装置に適用することができる。
【図面の簡単な説明】
【００３３】
【図１】本発明の第１の実施の形態に係るイメージ印刷システムの構成例を示すブロック図である。
【図２】フォルダ一覧画面の一例を示した図である。
【図３】フォルダ一覧画面、フォルダ設定画面、及びフォルダ参照画面の一例を示した図である。
【図４】フォルダ一覧画面の一例を示した図である。
【図５】一般設定画面の一例を示した図である。
【図６】ネットワーク設定画面の一例を示した図である。
【図７】印刷指示受付装置が備える液晶表示装置周辺を示した図である。
【図８】イメージデータを出力すべき共有フォルダの選択を受付けた場合に印刷指示受付装置において実行される処理動作を示したフローチャートである。
【図９】共有フォルダにイメージデータが書き込まれた場合に印刷制御装置において実行される処理動作を示したフローチャートである。
【図１０】本発明の第２の実施の形態に係るイメージ印刷システムの構成例を示すブロック図である。
【符号の説明】
【００３４】
１、３６    イメージデータ印刷システム
２    印刷指示受付装置
３    イメージデータ蓄積装置
４、３７    印刷制御装置
５    プリンタ
６    ネットワーク
７    共有フォルダ
８    フォルダ書込検出手段
９    プリンタドライバ手段
【図１】
2007011570.tif 000003
【図２】
2007011570.tif 000004
【図３】
2007011570.tif 000005
【図４】
2007011570.tif 000006
【図５】
2007011570.tif 000007
【図６】
2007011570.tif 000008
【図７】
2007011570.tif 000009
【図８】
2007011570.tif 000010
【図９】
2007011570.tif 000011
【図１０】
2007011570.tif 000012